(57)【要約】【課題】ユーザ携帯端末から保険会社サーバに位置情報を一定期間送信するだけでユーザの運転状況を解析し、運転状況に応じた自動車保険の保険料金を算出する。【解決手段】保険会社サーバ３０から通知された位置情報報告期間をユーザ携帯端末１０に格納しておき、ユーザ携帯端末１０は車載装置２０からエンジン始動情報を受信したときに現在年月日情報を取得し、取得した現在年月日が位置情報報告期間に含まれているかを照合し、含まれていた場合は定期的に位置情報を取得して保険会社サーバ３０に送信し、車載装置２０からエンジン停止情報を受信したときにユーザ携帯端末１０は位置情報の取得，送信を中止し、保険会社サーバ３０は位置情報報告期間の間に位置情報を受信して蓄積しておき、蓄積された位置情報を基に運転状況を解析し、解析した運転状況を基に保険料金を算出してユーザ携帯端末１０に通知する。【選択図】      図１
2008021204.tif 000002
【特許請求の範囲】
【請求項１】
ユーザ携帯端末と、ユーザの自動車に設置された車載装置と、保険会社サーバとを備えたユーザ運転状況収集・解析システムであって、
前記ユーザ携帯端末は、前記保険会社サーバから通知された位置情報報告期間を登録する手段と、前記車載装置からエンジン始動情報またはエンジン停止情報を受信する手段と、エンジン始動情報受信時に現在年月日情報を取得し、取得した現在年月日が位置情報報告期間に含まれているかを照合する手段と、含まれていた場合にエンジン停止情報を受信するまで定期的に位置情報を取得し前記保険会社サーバに送信する手段とを有し、
前記車載装置は、エンジンの始動を検出してエンジン始動情報を前記ユーザ携帯端末に送信する手段と、エンジンの停止を検出してエンジン停止情報を前記ユーザ携帯端末に送信する手段とを有し、
前記保険会社サーバは、予め登録されたユーザ情報を参照し加入中の保険契約終了期日の所定期間前に該当ユーザのユーザ携帯端末に位置情報報告期間を含む位置情報要求通知を送信する手段と、前記ユーザ携帯端末から受信した位置情報をデータベースに蓄積する手段と、前記ユーザ情報を参照し位置情報報告期間が過ぎたユーザの運転状況を前記データベースを参照して解析する手段と、解析した運転状況を基に次期の保険料金を算出する手段と、解析した運転状況と次期の保険料金を前記ユーザ携帯端末に送信する手段とを有することを特徴とするユーザ運転状況収集・解析システム。
【請求項２】
前記保険会社サーバは運転状況に応じて重み付けしたポイントを予め登録しておき、解析した運転状況に対応して登録されたポイントを取得し、取得したポイントと加入中の保険の基本料金とを基に次期の保険料金を算出することを特徴とする請求項１記載のユーザ運転状況収集・解析システム。
【請求項３】
前記運転状況は運転時間，走行距離，リスク地域走行日数を含むことを特徴とする請求項１または２記載のユーザ運転状況収集・解析システム。
【請求項４】
前記保険会社サーバは、前記ユーザ携帯端末からの位置情報受信時に位置情報報告対象のユーザであるかを現在年月日と該当ユーザの位置情報報告期間との照合により判別し、位置情報報告対象のユーザであった場合に位置情報を前記データベースに蓄積することを特徴とする請求項１，２または３記載のユーザ運転状況収集・解析システム。
【請求項５】
前記ユーザ携帯端末，前記車載装置間の通信は近距離無線通信により行い、前記ユーザ携帯端末，前記保険会社サーバ間の通信はインターネットを介して行うことを特徴とする請求項１〜４のいずれか１項記載のユーザ運転状況収集・解析システム。
【請求項６】
ユーザの自動車に設置された車載装置と、保険会社サーバとに接続されるユーザ携帯端末であって、
前記保険会社サーバから通知された位置情報報告期間を登録する手段と、前記車載装置からエンジン始動情報またはエンジン停止情報を受信する手段と、エンジン始動情報受信時に現在年月日情報を取得し、取得した現在年月日が位置情報報告期間に含まれているかを照合する手段と、含まれていた場合にエンジン停止情報を受信するまで定期的に位置情報を取得し前記保険会社サーバに送信する手段とを有することを特徴とするユーザ携帯端末。
【請求項７】
前記車載装置との通信は近距離無線通信により行い、前記保険会社サーバとの通信はインターネットを介して行うことを特徴とする請求項６記載のユーザ携帯端末。
【請求項８】
ユーザ携帯端末と、ユーザの自動車に設置された車載装置と、保険会社サーバとを用いたユーザ運転状況収集・解析方法であって、
前記保険会社サーバから通知された位置情報報告期間を前記ユーザ携帯端末に格納しておき、前記ユーザ携帯端末は前記車載装置からエンジン始動情報を受信したときに現在年月日情報を取得し、取得した現在年月日が位置情報報告期間に含まれているかを照合し、含まれていた場合は定期的に位置情報を取得して前記保険会社サーバに送信し、前記車載装置からエンジン停止情報を受信したときに前記ユーザ携帯端末は位置情報の取得，送信を中止し、前記保険会社サーバは位置情報報告期間の間に位置情報を受信して蓄積しておき、蓄積された位置情報を基に運転状況を解析し、解析した運転状況を基に保険料金を算出して前記ユーザ携帯端末に通知することを特徴とするユーザ運転状況収集・解析方法。
【請求項９】
ユーザ携帯端末と、ユーザの自動車に設置された車載装置と、保険会社サーバとを用いたユーザ運転状況収集・解析方法であって、
前記保険会社サーバが予め登録されたユーザ情報を参照し加入中の保険契約終了期日の所定期間前に該当ユーザのユーザ携帯端末に位置情報報告期間を含む位置情報要求通知を送信するステップと、前記ユーザ携帯端末が前記保険会社サーバから通知された位置情報報告期間を登録するステップと、前記ユーザ携帯端末が前記車載装置からのエンジン始動情報受信時に現在年月日情報を取得し、取得した現在年月日が位置情報報告期間に含まれているかを照合するステップと、含まれていた場合に前記ユーザ携帯端末が前記車載装置からエンジン停止情報を受信するまで定期的に位置情報を取得し前記保険会社サーバに送信するステップと、前記保険会社サーバが位置情報報告期間の間に前記ユーザ携帯端末から受信した位置情報をデータベースに蓄積するステップと、前記保険会社サーバが前記ユーザ情報を参照し位置情報報告期間が過ぎたユーザの運転状況を前記データベースを参照して解析するステップと、解析した運転状況に対応して登録されたポイントを前記保険会社サーバが取得し、取得したポイントと加入中の保険の基本料金とを基に次期の保険料金を算出するステップと、前記保険会社サーバが解析した運転状況と次期の保険料金を前記ユーザ携帯端末に送信するステップとを有することを特徴とするユーザ運転状況収集・解析方法。
【請求項１０】
第１の外部装置から通知された位置情報報告期間を登録する機能、第２の外部装置からエンジン始動情報またはエンジン停止情報を受信する機能、エンジン始動情報受信時に現在年月日情報を取得し、取得した現在年月日が位置情報報告期間に含まれているかを照合する機能、含まれていた場合にエンジン停止情報を受信するまで定期的に位置情報を取得し前記第１の外部装置に送信する機能、をコンピュータに実現させるためのプログラム。
【発明の詳細な説明】
【技術分野】
【０００１】
本発明は、自動車運転時における位置情報を用いて運転状況を解析するユーザ運転状況収集・解析システム，ユーザ携帯端末，ユーザ運転状況収集・解析方法およびプログラムに関する。
【背景技術】
【０００２】
従来、自動車保険はユーザの年令，経験，車の使用目的や車種等に応じて保険料金が定められているが、事故につながる他の要因、例えば、運転時間や走行地域等の情報に関しては勘案されていなかった。この運転時間や走行地域等の情報を保険料金算出の要因として勘案した例が、特開２００３−６４３９号公報（特許文献１）に記載されている。この特許文献１においては、
・車載装置は運転時の位置情報，現在時刻情報から走行時間，走行路，走行速度等の運転実績情報を解析して記憶装置に記録しておき、
・ユーザは１回の走行に対する保険加入申請時に、これから走行する現在地から目的地迄の走行ルート情報と、記憶装置に記録しておいた運転実績情報とを保険事業者サーバに送信し、
・保険事業者サーバは走行ルートの事故情報や運転実績情報を基に１回の走行分の保険料金を算出する、
ことが記載されている。
【０００３】
【特許文献１】特開２００３−６４３９号公報（段落「００２０」、「００４０」〜「００４５」、図１）
【発明の開示】
【発明が解決しようとする課題】
【０００４】
上述した特許文献１においては、保険料金の算出に用いる運転実績情報を車載装置から保険事業者サーバに提供するようにしているため、運転実績情報の解析，記録機能を車載装置側に備えなければならないという問題がある。また、運転実績情報は車載装置に格納されているため、例えば、保険料金が安くなるように改竄されて保険事業者サーバに提供されるといった問題の発生も考えられる。
【０００５】
また、上述した特許文献１においては、車載装置が運転の度に運転実績情報の解析，記録を行っているため、いつ必要になるかが分からない状況で運転実績情報を記録し続けることになり、効率的な運転実績情報の取得ができていないという問題がある。
【０００６】
本発明の目的は、以上の課題を解決するユーザ運転状況収集・解析システム，ユーザ携帯端末，ユーザ運転状況収集・解析方法およびプログラムを提供することにある。
【課題を解決するための手段】
【０００７】
本発明の第１のユーザ運転状況収集・解析システムは、ユーザ携帯端末と、ユーザの自動車に設置された車載装置と、保険会社サーバとを備えたユーザ運転状況収集・解析システムであって、
前記ユーザ携帯端末は、前記保険会社サーバから通知された位置情報報告期間を登録する手段と、前記車載装置からエンジン始動情報またはエンジン停止情報を受信する手段と、エンジン始動情報受信時に現在年月日情報を取得し、取得した現在年月日が位置情報報告期間に含まれているかを照合する手段と、含まれていた場合にエンジン停止情報を受信するまで定期的に位置情報を取得し前記保険会社サーバに送信する手段とを有し、
前記車載装置は、エンジンの始動を検出してエンジン始動情報を前記ユーザ携帯端末に送信する手段と、エンジンの停止を検出してエンジン停止情報を前記ユーザ携帯端末に送信する手段とを有し、
前記保険会社サーバは、予め登録されたユーザ情報を参照し加入中の保険契約終了期日の所定期間前に該当ユーザのユーザ携帯端末に位置情報報告期間を含む位置情報要求通知を送信する手段と、前記ユーザ携帯端末から受信した位置情報をデータベースに蓄積する手段と、前記ユーザ情報を参照し位置情報報告期間が過ぎたユーザの運転状況を前記データベースを参照して解析する手段と、解析した運転状況を基に次期の保険料金を算出する手段と、解析した運転状況と次期の保険料金を前記ユーザ携帯端末に送信する手段とを有する。
【０００８】
本発明の第２のユーザ運転状況収集・解析システムは、本発明の第１のユーザ運転状況収集・解析システムにおいて、前記保険会社サーバは運転状況に応じて重み付けしたポイントを予め登録しておき、解析した運転状況に対応して登録されたポイントを取得し、取得したポイントと加入中の保険の基本料金とを基に次期の保険料金を算出することを特徴とする。
【０００９】
本発明の第３のユーザ運転状況収集・解析システムは、本発明の第１または第２のユーザ運転状況収集・解析システムにおいて、前記運転状況は運転時間，走行距離，リスク地域走行日数を含むことを特徴とする。
【００１０】
本発明の第４のユーザ運転状況収集・解析システムは、本発明の第１，第２または第３のユーザ運転状況収集・解析システムにおいて、前記保険会社サーバは、前記ユーザ携帯端末からの位置情報受信時に位置情報報告対象のユーザであるかを現在年月日と該当ユーザの位置情報報告期間との照合により判別し、位置情報報告対象のユーザであった場合に位置情報を前記データベースに蓄積することを特徴とする。
【００１１】
本発明の第５のユーザ運転状況収集・解析システムは、本発明の第１〜第４のいずれかのユーザ運転状況収集・解析システムにおいて、前記ユーザ携帯端末，前記車載装置間の通信は近距離無線通信により行い、前記ユーザ携帯端末，前記保険会社サーバ間の通信はインターネットを介して行うことを特徴とする。
【００１２】
本発明の第１のユーザ携帯端末は、ユーザの自動車に設置された車載装置と、保険会社サーバとに接続されるユーザ携帯端末であって、
前記保険会社サーバから通知された位置情報報告期間を登録する手段と、前記車載装置からエンジン始動情報またはエンジン停止情報を受信する手段と、エンジン始動情報受信時に現在年月日情報を取得し、取得した現在年月日が位置情報報告期間に含まれているかを照合する手段と、含まれていた場合にエンジン停止情報を受信するまで定期的に位置情報を取得し前記保険会社サーバに送信する手段とを有する。
【００１３】
本発明の第２のユーザ携帯端末は、本発明の第１のユーザ携帯端末において、前記車載装置との通信は近距離無線通信により行い、前記保険会社サーバとの通信はインターネットを介して行うことを特徴とする。
【００１４】
本発明の第１のユーザ運転状況収集・解析方法は、ユーザ携帯端末と、ユーザの自動車に設置された車載装置と、保険会社サーバとを用いたユーザ運転状況収集・解析方法であって、
前記保険会社サーバから通知された位置情報報告期間を前記ユーザ携帯端末に格納しておき、前記ユーザ携帯端末は前記車載装置からエンジン始動情報を受信したときに現在年月日情報を取得し、取得した現在年月日が位置情報報告期間に含まれているかを照合し、含まれていた場合は定期的に位置情報を取得して前記保険会社サーバに送信し、前記車載装置からエンジン停止情報を受信したときに前記ユーザ携帯端末は位置情報の取得，送信を中止し、前記保険会社サーバは位置情報報告期間の間に位置情報を受信して蓄積しておき、蓄積された位置情報を基に運転状況を解析し、解析した運転状況を基に保険料金を算出して前記ユーザ携帯端末に通知することを特徴とする。
【００１５】
本発明の第２のユーザ運転状況収集・解析方法は、ユーザ携帯端末と、ユーザの自動車に設置された車載装置と、保険会社サーバとを用いたユーザ運転状況収集・解析方法であって、
前記保険会社サーバが予め登録されたユーザ情報を参照し加入中の保険契約終了期日の所定期間前に該当ユーザのユーザ携帯端末に位置情報報告期間を含む位置情報要求通知を送信するステップと、前記ユーザ携帯端末が前記保険会社サーバから通知された位置情報報告期間を登録するステップと、前記ユーザ携帯端末が前記車載装置からのエンジン始動情報受信時に現在年月日情報を取得し、取得した現在年月日が位置情報報告期間に含まれているかを照合するステップと、含まれていた場合に前記ユーザ携帯端末が前記車載装置からエンジン停止情報を受信するまで定期的に位置情報を取得し前記保険会社サーバに送信するステップと、前記保険会社サーバが位置情報報告期間の間に前記ユーザ携帯端末から受信した位置情報をデータベースに蓄積するステップと、前記保険会社サーバが前記ユーザ情報を参照し位置情報報告期間が過ぎたユーザの運転状況を前記データベースを参照して解析するステップと、解析した運転状況に対応して登録されたポイントを前記保険会社サーバが取得し、取得したポイントと加入中の保険の基本料金とを基に次期の保険料金を算出するステップと、前記保険会社サーバが解析した運転状況と次期の保険料金を前記ユーザ携帯端末に送信するステップとを有する。
【００１６】
本発明のプログラムは、第１の外部装置から通知された位置情報報告期間を登録する機能、第２の外部装置からエンジン始動情報またはエンジン停止情報を受信する機能、エンジン始動情報受信時に現在年月日情報を取得し、取得した現在年月日が位置情報報告期間に含まれているかを照合する機能、含まれていた場合にエンジン停止情報を受信するまで定期的に位置情報を取得し前記第１の外部装置に送信する機能、をコンピュータに実現させる。
【発明の効果】
【００１７】
本発明においては、ユーザ携帯端末が位置情報を定期的に取得して保険会社サーバに送信し、保険会社サーバは受信した位置情報を基に運転状況を解析して次期保険料を算出するようにしている。これにより、ユーザ携帯端末や車載装置において運転状況を解析，記録する手段が不要になるという効果が得られる。
【００１８】
また、本発明においては、有期保険契約の次期契約が近くなると、保険会社サーバが位置情報報告期間をユーザ携帯端末に通知し、ユーザ携帯端末は要求された位置情報報告期間の間だけ位置情報を保険会社サーバに送信するようにしている。このため、次期契約の保険料算出のための効率的な位置情報の報告が可能になるという効果が得られる。
【００１９】
また、本発明においては、ユーザ携帯端末が車載装置からエンジン始動・停止情報を受信することにより運転中か否かを識別し、運転中の場合に位置情報を保険会社サーバに報告するようにした。このため、ユーザは運転時にユーザ携帯端末を携帯するか車内に置いておくだけで、ユーザ携帯端末が運転中を識別して自動的に保険会社サーバに位置情報を送信することができるという効果が得られる。
【発明を実施するための最良の形態】
【００２０】
本発明の実施の形態について図面を参照して詳細に説明する。
【００２１】
図１は、本発明の一実施の形態の構成を示す図であり、ユーザ携帯端末１０と、車載装置２０と、保険会社サーバ３０と、ユーザ携帯端末１０，保険会社サーバ３０間を接続するインターネット等のネットワーク１００とを備えている。
【００２２】
ユーザ携帯端末１０は、携帯電話機，ＰＨＳ(Personal Handyphone System)，ＰＤＡ(Personal Digital Assistance)等の携帯情報端末である。このユーザ携帯端末１０は、ア
ンテナ１１と、無線部１２と、位置情報取得部１３と、表示部１４と、操作部１５と、近距離無線通信部１６と、制御部１７と、記憶部１８とを備えている。無線部１２は、図示しない基地局との間でアンテナ１１を介して無線信号の送受信を行う通信装置である。位置情報取得部１３は、複数のＧＰＳ(Global Positioning System)衛星から到来する信号
を捕捉し、位置情報（緯度／経度等）を演算，取得する機能を備えている。表示部１４はＬＣＤ(Liquid Crystal Display)等の表示装置であり、操作部１５はテンキー，機能キー，ポインティングデバイス等の入力装置である。近距離無線通信部１６は、赤外線やブルートゥース，無線ＬＡＮ(Local Area Network)等の近距離無線通信により車載装置２０との間でデータ送受信を行う機能を備えている。制御部１７は、ＣＰＵ(Central Processing Unit)等の制御装置であり、プログラムにより動作を制御される。この制御部１７は、
・メール送受信機能と、
・車載装置２０からエンジン始動情報を受信したときに、記憶部１８に格納された報告期間情報を参照し、本日が報告期間情報に含まれているかを照合する機能と、
・本日が報告期間情報に含まれていた場合に、位置情報取得部１３から定期的に位置情報を取得し、保険会社サーバ３０に送信する機能と、
・車載装置２０からエンジン停止情報を受信したときに、位置情報取得部１３による位置情報の取得と保険会社サーバ３０への位置情報の送信とを中止する機能と、
を備えている。
【００２３】
記憶部１８は、読み出し，書き込み可能な記憶装置であり、ユーザＩＤ，位置情報報告期間，保険会社サーバアドレスを含む情報が記憶されている。ユーザＩＤは、加入している保険会社においてユーザを一意に識別可能な識別情報であり、例えば、ユーザ携帯端末１０の電話番号や、保険会社で管理しているユーザ番号等である。位置情報報告期間は、保険会社サーバ３０から位置情報を送信するよう要求された期間のことであり、例えば、２００６年６月１日〜２００６年６月３０日、のように記憶されている。
【００２４】
車載装置２０は、ユーザが運転する自動車に設置された情報処理装置であり、エンジン始動・停止検出部２１と、近距離無線通信部２２と、制御部２３とを備えている。エンジン始動・停止検出部２１は、エンジンが始動または停止したことを検出する機能を備えている。このエンジンの始動，停止の検出については、例えば、イグニッションスイッチのオン，オフや、エンジン回転センサ等により検出することができる。また、特開２００１−２６８６４４号公報に開示されているように、オルタネータノイズの混入状態により検出するようにしてもよい。近距離無線通信部２２は、赤外線やブルートゥース，無線ＬＡＮ等の近距離無線通信によりユーザ携帯端末１０との間でデータ送受信を行う機能を備えている。制御部２３はＣＰＵ等の制御装置であり、プログラムにより動作を制御される。この制御部２３は、エンジン始動・停止検出部２１によりエンジンの始動または停止が検出されたときに、エンジン始動情報またはエンジン停止情報をそれぞれ近距離無線通信部２２を介してユーザ携帯端末１０に送信する機能を備えている。
【００２５】
保険会社サーバ３０は、自動車保険会社に設置されるワークステーション・サーバ等の情報処理装置であって、制御部３１と、記憶部３２とを備えている。制御部３１はＣＰＵ等の制御装置であり、プログラムにより動作を制御される。この制御部３１は、
・ユーザ情報データベース３２１を参照し、位置情報要求通知日になったユーザがいた場合に、該当ユーザに位置情報要求通知メールを送信する機能と、
・ユーザ携帯端末１０からの位置情報受信時に、位置情報受信対象のユーザかを照合し、そうであれば、受信した情報をユーザ別位置情報蓄積データベース３２２に蓄積する機能と、
・ユーザ情報データベース３２１を参照し、運転状況解析日になったユーザがいた場合に、ユーザ別位置情報蓄積データベース３２２に蓄積された該当ユーザの情報を基に運転状況を解析する機能と、
・解析した運転状況データをユーザ別運転状況データベース３２４に登録する機能と、
・運転状況ポイントデータベース３２５を参照して運転状況データ対応のポイントを取得し、取得したポイントと契約中の保険の基本料金とを基に次期の保険料金を算出する機能と、
・解析した運転状況，ポイントと次期の保険料金を、該当ユーザのユーザ携帯端末１０に送信する機能と、
を備えている。
【００２６】
記憶部３２は、読み出し，書き込み可能な記憶装置である。この記憶部３２は、ユーザ情報データベース３２１と、ユーザ別位置情報蓄積データベース３２２と、リスク地域データベース３２３と、ユーザ別運転状況データベース３２４と、運転状況ポイントデータベース３２５とを含んでいる。ユーザ情報データベース３２１には、図２（ユーザ情報データベース３２１に格納されるデータの一例を示す図）に示すように、ユーザＩＤ，ユーザメールアドレス，保険契約期間，位置情報の要求通知日や報告期間，運転状況解析日，保険タイプ等が含まれている。なお、保険契約期間は、ユーザが現在加入中の自動車保険の契約期間であり、例えば、２００５年８月１日〜２００６年７月３１日と登録されている。位置情報報告期間は、ユーザから位置情報の報告を受ける期間のことであり、例えば、２００６年６月１日〜２００６年６月３０日（契約終了期日の２ヶ月前〜１ヶ月前の１ヶ月間）と登録されている。位置情報要求通知日は、位置情報の報告をユーザに依頼する日であり、例えば、２００６年５月２４日（位置情報報告期間の開始日から１週間前）と予め登録される。運転状況解析日は、ユーザから受信した位置情報を基に運転状況を解析する日であり、例えば、２００６年７月１日（位置情報報告期間最終日の翌日）が登録されている。保険タイプは、ユーザが現在加入している自動車保険を一意に識別可能な識別情報である。ユーザ別位置情報蓄積データベース３２２には、図３（ユーザ別位置情報蓄積データベース３２２に格納されるデータの一例を示す図）に示すように、ユーザＩＤ，位置情報の取得日時，位置情報等が含まれている。リスク地域データベース３２３には、図４（リスク地域データベース３２３に格納されるデータの一例を示す図）に示すように、地域名，位置情報等が含まれている。この地域名，位置情報は、自動車事故の多発地点等、自動車保険においてリスクがある地域を指しており、過去の事故統計データ等から判断して登録されている。ユーザ別運転状況データベース３２４には、図５（ユーザ別運転状況データベース３２４に格納されるデータの一例を示す図）に示すように、ユーザＩＤ，運転時間，走行距離，リスク地域走行日数等が含まれている。運転状況ポイントデータベース３２５には、図６（運転状況ポイントデータベース３２５に格納されるデータの一例を示す図）に示すように、運転状況とポイントが含まれている。運転状況は、例えば、運転時間，走行距離，リスク地域走行日数等であり、これらの実績数値に応じたポイントが登録されている。
【００２７】
次に、本発明の一実施の形態の動作について図面を参照して説明する。
【００２８】
最初に、本発明の一実施の形態における位置情報収集時の動作について図１〜図３および図７を参照して説明する。図７は、本発明の一実施の形態における位置情報収集時の動作を示すフローチャートである。
【００２９】
図７を参照すると、保険会社サーバ３０の制御部３１は定期的に（例えば、毎日１回所定時刻に）ユーザ情報データベース３２１を参照し、位置情報要求通知日になったユーザがいるかを検索する。詳細には、制御部３１は図示しない時計部から現在の年月日情報を取得し、ユーザ情報データベース３２１に登録された位置情報要求通知日が現在の年月日情報と一致するユーザがいるかを検索する（図２参照）（ステップＡ１）。位置情報要求通知日になったユーザがいた場合は、制御部３１は位置情報報告期間を含む位置情報要求通知メールを生成し、ユーザ情報データベース３２１から取得した該当ユーザのメールアドレス宛に送信する。この位置情報要求通知メールは、ユーザが現在加入している自動車保険契約の終了期限が近くなったときに、次期の保険料算出に必要なユーザ運転状況を解析するための元データとなる位置情報の報告をユーザに依頼するためのものである。本実施の形態においては、保険契約の終了期限（例えば、２００６年７月３１日）の２ヶ月前〜１ヶ月前の１ヶ月間の間（２００６年６月１日〜６月３０日）を位置情報報告期間として説明する。また、位置情報報告期間の開始日（６月１日）から１週間前（５月２４日）をユーザに対する位置情報要求通知日とする（ステップＡ２）。
【００３０】
位置情報要求通知メールを受信したユーザは、ユーザ携帯端末１０において保険会社アプリケーションを起動して登録メニューを選択し、表示部１４に表示された登録画面上で位置情報報告期間を操作部１５から入力する。制御部１７は入力された位置情報報告期間を記憶部１８の所定の領域に登録する。なお、ユーザＩＤ，保険会社サーバアドレスについては予め記憶部１８に登録されているものとする（ステップＡ３）。
【００３１】
この後、ユーザが自動車を運転するためにエンジンを始動する度に、車載装置２０のエンジン始動・停止検出部２１はエンジンの始動を検出し、制御部２３は近距離無線通信部２２を介してユーザ携帯端末１０にエンジン始動情報を送信する（ステップＡ４）。エンジン始動情報を受信したユーザ携帯端末１０の制御部１７は（ステップＡ５）、図示しない時計部から現在年月日情報を取得し、現在年月日が記憶部１８に登録された位置情報報告期間に含まれているかを照合する（ステップＡ６）。含まれていなかった場合は、制御部１７は処理を終了する。含まれていた場合は、制御部１７は定期的（例えば、５分毎）に位置情報取得部１３に位置情報の取得を指示する。そして、制御部１７は位置情報を取得する度にユーザＩＤ，取得日時とともに保険会社サーバ３０に送信する（ステップＡ７）。
【００３２】
保険会社サーバ３０の制御部３１は、受信したユーザＩＤを基にユーザ情報データベース３２１から該当ユーザの位置情報報告期間を取得し、現在年月日が位置情報報告期間に含まれていなかった場合は、位置情報受信対象のユーザではないため処理を終了する。含まれていた場合は、制御部３１は受信した情報（ユーザＩＤ，取得日時，位置情報）をユーザ別位置情報蓄積データベース３２２に格納する。このユーザ別位置情報蓄積データベース３２２への格納は、ユーザ携帯端末１０から受信する度に行われ、ユーザＩＤ毎の位置情報が位置情報報告期間である１ヶ月間にわたり蓄積される（図３参照）（ステップＡ８，Ａ９）。
【００３３】
ユーザが自動車の運転を終了しエンジンを停止すると、車載装置２０のエンジン始動・停止検出部２１はエンジンの停止を検出し、制御部２３は近距離無線通信部２２を介してユーザ携帯端末１０にエンジン停止情報を送信する（ステップＡ１０）。エンジン停止情報を受信したユーザ携帯端末１０の制御部１７は、位置情報の取得，送信を中止する（ステップＡ１１）。
【００３４】
次に、本発明の一実施の形態における運転状況解析時および保険料金算出時の動作について図１〜図６および図８を参照して説明する。図８は、本発明の一実施の形態における運転状況解析時および保険料金算出時の動作を示すフローチャートである。
【００３５】
図８を参照すると、保険会社サーバ３０の制御部３１は定期的に（例えば、毎日１回所定時刻に）ユーザ情報データベース３２１を参照し、運転状況解析日になったユーザがいるかを検索する（図２参照）（ステップＢ１）。
【００３６】
運転状況解析日になったユーザがいた場合、制御部３１はユーザ別位置情報蓄積データベース３２２に蓄積された情報（図３参照）を基に該当ユーザの運転状況を解析する。この運転状況の解析は、例えば、運転時間，走行距離，リスク地域走行日数等について行われる。まず、運転時間については、制御部３１は、ユーザ別位置情報蓄積データベース３２２に蓄積された該当ユーザの位置情報取得日時（例えば、５分毎）を基に、５分間間隔の連続したデータグループを識別する。そして、制御部３１は各グループの最初と最後の日時の差を求め、それらを全グループ分合計したものを運転時間（位置情報報告期間の１ヶ月間に運転した時間）とする。次に、走行距離については、制御部３１は、ユーザ別位置情報蓄積データベース３２２に蓄積された該当ユーザの位置情報を基に、位置情報相互間の距離を算出し、それらを合計したものを走行距離（位置情報報告期間の１ヶ月間に走行した距離）とする。なお、位置情報間の距離の算出については、制御部３１は図示しない地図情報データベースから取得するようにしてもよいし、緯度差／経度差による簡易算出を用いてもよい。簡易算出の場合は、制御部３１は両位置情報の緯度差／経度差を求め、図示しない記憶エリアに格納された緯度／経度の例えば１秒当たりの距離データを緯度差／経度差にそれぞれ掛けて三角法（ピタゴラスの定理）により算出する。次に、リスク地域走行日数については、制御部３１はリスク地域データベース３２３に格納されたリスク地域の位置情報（図４参照）が、ユーザ別位置情報蓄積データベース３２２の該当ユーザ対応の位置情報（図３参照）に含まれていないかを照合する。含まれていた場合は、制御部３１はその取得日時を参照し含まれていた日数を算出する（ステップＢ２）。
【００３７】
制御部３１は、ステップＢ２で解析した運転状況データをユーザ別運転状況データベース３２４にユーザＩＤ対応に登録する（図５参照）（ステップＢ３）。次に、制御部３１は、ユーザ別運転状況データベース３２４に格納された運転状況の各々（運転時間，走行距離，リスク地域走行日数）について、運転状況ポイントデータベース３２５（図６参照）を参照してそれぞれのポイントを取得する。そして、取得した運転時間，走行距離，リスク地域走行日数別のポイントを合計する（ステップＢ４）。その後、制御部３１は、ユーザ情報データベース３２１から該当ユーザの保険タイプを取得し、ステップＢ４で取得した運転状況ポイント（合計ポイント）との組み合わせで次期の保険料金を算出する。なお、保険タイプはユーザが現在加入している自動車保険を一意に識別可能な識別情報であり、図示しないデータベースに保険タイプ毎の保険料金が運転状況ポイントと対応付けられて予め登録されている。例えば、運転状況ポイントが２ポイント以下の場合は基本料金、３〜５ポイントの場合は基本料金の１０パーセント割増、６〜９ポイントの場合は基本料金の２０パーセント割増、１０ポイント以上の場合は４０パーセント割増、等と登録されている（ステップＢ５）。次に、制御部３１は、解析した運転状況やポイント，次期の保険料金情報を含むメールを生成し、該当ユーザのユーザ携帯端末１０に送信する（ステップＢ６）。ユーザ携帯端末１０はメールを受信し、ユーザは位置情報報告期間における運転状況やポイントと次期の保険料金を参照する（ステップＢ７）。
【００３８】
以上説明したように、本実施の形態においては、ユーザ携帯端末１０が位置情報を定期的に取得して保険会社サーバ３０に送信し、保険会社サーバ３０は受信した位置情報を基に運転状況を解析して次期保険料を算出するようにしている。これにより、ユーザ携帯端末１０や車載装置２０において運転状況を解析，記録する手段が不要になるという効果が得られる。
【００３９】
また、本実施の形態においては、有期保険契約の次期契約が近くなると、保険会社サーバ３０が位置情報報告期間をユーザ携帯端末１０に通知し、ユーザ携帯端末１０は要求された位置情報報告期間の間だけ位置情報を保険会社サーバ３０に送信するようにした。このため、次期契約の保険料算出のための効率的な位置情報の報告が可能になるという効果が得られる。
【００４０】
また、本実施の形態においては、ユーザ携帯端末１０が車載装置２０からエンジン始動・停止情報を受信することにより運転中か否かを識別し、運転中の場合に位置情報を保険会社サーバ３０に報告するようにした。このため、ユーザは運転時にユーザ携帯端末１０を携帯するか車内に置いておくだけで、ユーザ携帯端末１０が運転中を識別して自動的に保険会社サーバ３０に位置情報を送信することができるという効果が得られる。
【００４１】
次に、本発明の応用例，変形例等について説明する。
【００４２】
・上述した一実施の形態において、ユーザ携帯端末１０と車載装置２０間のデータ送受信は近距離無線通信により行うとして説明したが、有線通信により行うようにしてもよい。また、ユーザ携帯端末１０が車載装置２０に密着して置かれる構成とし、電気的な接触によって接続されるようにしてもよい。
【００４３】
・上述した一実施の形態において、位置情報要求通知日は契約終了期日から２ヶ月前、位置情報報告期間は契約終了期日の２ヶ月前〜１ヶ月前の１ヶ月間として説明したが、これらは一例であり、他の期日や期間としてもよいことは明らかである。
【００４４】
・上述した一実施の形態において、ユーザ携帯端末１０における位置情報報告期間の記憶部１８への登録はユーザが行うとして説明したが、制御部１７が位置情報要求通知メール受信時にメールに含まれる位置情報報告期間を自動登録するようにしてもよい。
【００４５】
・上述した一実施の形態において、運転状況の解析を運転時間，走行距離，リスク地域走行日数について行うとして説明したが、例えば、走行速度や運転時間帯等の他の要素を加えるようにしてもよい。
【図面の簡単な説明】
【００４６】
【図１】本発明の一実施の形態の構成を示す図である。
【図２】ユーザ情報データベース３２１に格納されるデータの一例を示す図である。
【図３】ユーザ別位置情報蓄積データベース３２２に格納されるデータの一例を示す図である。
【図４】リスク地域データベース３２３に格納されるデータの一例を示す図である。
【図５】ユーザ別運転状況データベース３２４に格納されるデータの一例を示す図である。
【図６】運転状況ポイントデータベース３２５に格納されるデータの一例を示す図である。
【図７】本発明の一実施の形態における位置情報収集時の動作を示すフローチャートである。
【図８】本発明の一実施の形態における運転状況解析時および保険料金算出時の動作を示すフローチャートである。
【符号の説明】
【００４７】
１０    ユーザ携帯端末
１１    アンテナ
１２    無線部
１３    位置情報取得部
１４    表示部
１５    操作部
１６    近距離無線通信部
１７    制御部
１８    記憶部
２０    車載装置
２１    エンジン始動・停止検出部
２２    近距離無線通信部
２３    制御部
３０    保険会社サーバ
３１    制御部
３２    記憶部
３２１    ユーザ情報データベース
３２２    ユーザ別位置情報蓄積データベース
３２３    リスク地域データベース
３２４    ユーザ別運転状況データベース
３２５    運転状況ポイントデータベース
１００    ネットワーク
【図１】
2008021204.tif 000003
【図２】
2008021204.tif 000004
【図３】
2008021204.tif 000005
【図４】
2008021204.tif 000006
【図５】
2008021204.tif 000007
【図６】
2008021204.tif 000008
【図７】
2008021204.tif 000009
【図８】
2008021204.tif 000010